(57)【要約】      （修正有）【課題】３次元の対象物画像情報を動的に再生するための顕微鏡システムを提供する。【解決手段】３次元の対象物画像情報の検知のために備えられた少なくとも１つの画像検知ユニット２１と、３次元の対象物画像情報の動的なホログラフィック再生のために備えられた少なくとも１つの画像再生ユニット３０とを有する顕微鏡システム１００において、少なくとも１つの画像再生ユニット３０は、少なくとも１つの画像表示ユニットを含み、少なくとも１つの画像表示ユニットは、フォトリフラクティブポリマーを有し、且つ３次元の対象物画像情報に応じたフォトリフラクティブポリマーの光照射による３次元の対象物画像情報の動的なホログラフィック再生のために備えられており、少なくとも１つの画像再生ユニット３０は、観察者による両眼観察のために備えられた観察開口部３１と、少なくとも部分的に遮光性のハウジングとを有する。【選択図】図１
2013231967.tif 000002
【特許請求の範囲】
【請求項１】
３次元の対象物画像情報の検知のために備えられた少なくとも１つの画像検知ユニット（２１）と、３次元の対象物画像情報の動的なホログラフィック再生のために備えられた少なくとも１つの画像再生ユニット（３０）とを有する顕微鏡システムであって、
前記少なくとも１つの画像再生ユニット（３０）は、少なくとも１つの画像表示ユニット（４０）を含み、該少なくとも１つの画像表示ユニット（４０）は、フォトリフラクティブポリマー（４５）を有し、且つ３次元の対象物画像情報に応じた前記フォトリフラクティブポリマー（４５）の光照射による３次元の対象物画像情報の動的なホログラフィック再生のために備えられており、
前記少なくとも１つの画像再生ユニット（３０）は、観察者による両眼観察のために備えられた観察開口部（３１）と、少なくとも部分的に遮光性のハウジング（３３）とを有すること
を特徴とする顕微鏡システム。
【請求項２】
前記少なくとも１つの画像再生ユニット（３０）は、前記少なくとも１つの画像検知ユニット（２１）から離して配設されていること
を特徴とする、請求項１に記載の顕微鏡システム。
【請求項３】
該顕微鏡システムは、手術用顕微鏡システムとして構成されていること
を特徴とする、請求項１又は２に記載の顕微鏡システム。
【請求項４】
前記少なくとも１つの画像再生ユニット（３０）は、観察者の１つの目により夫々観察可能な画像表示ユニット（４０）を２つ備えた立体視画像提供ユニットとして構成されていること
を特徴とする、請求項１〜３のいずれか一項に記載の顕微鏡システム。
【請求項５】
前記少なくとも１つの画像表示ユニット（４０）は、前記フォトリフラクティブポリマー（４５）上の所定数の共通ポジション（Ｆ）における対象物レーザ光線（４１）と参照レーザ光線（４２）の結像により前記フォトリフラクティブポリマー（４５）を光照射するように備えられていること
を特徴とする、請求項１〜４のいずれか一項に記載の顕微鏡システム。
【請求項６】
該顕微鏡システムは、対象物レーザ光線（４１）と参照レーザ光線（４２）の結像のために、夫々にレンズアレー（４３、４４）を有すること
を特徴とする、請求項５に記載の顕微鏡システム。
【請求項７】
前記少なくとも１つの画像検知ユニット（２１）は、対象物へ対物レンズを通して少なくとも１つのレーザ光線を入射することにより３次元の対象物画像情報を検知するために備えられていること
を特徴とする、請求項１〜６のいずれか一項に記載の顕微鏡システム。
【請求項８】
前記画像検知ユニット（２１）及び／又は前記画像再生ユニット（３０）は、レーザショートパルスを提供するために備えられていること
を特徴とする、請求項１〜７のいずれか一項に記載の顕微鏡システム。
【請求項９】
前記画像検知ユニット（２１）及び／又は前記画像再生ユニット（３０）は、夫々、特に角度多重化を用い、単色の又はカラーのホログラムを検知ないし再生するために備えられていること
を特徴とする、請求項１〜８のいずれか一項に記載の顕微鏡システム。
【請求項１０】
前記画像検知ユニット（２１）及び／又は前記画像再生ユニット（３０）は、夫々、全視差的な又は部分視差的なホログラムの検知ないし再生のために備えられていること
を特徴とする、請求項１〜９のいずれか一項に記載の顕微鏡システム。
【請求項１１】
該顕微鏡システムは、少なくとも２つの画像検知ユニット（２１）及び／又は画像再生ユニット（３０）を有し、これらの画像検知ユニット（２１）及び／又は画像再生ユニット（３０）は、夫々、互いに異なる検知角度及び／又は再生角度をもってホログラムを検知及び／又は再生するために備えられていること
を特徴とする、請求項１〜１０のいずれか一項に記載の顕微鏡システム。
【請求項１２】
前記フォトリフラクティブポリマー（４５）は、ポリマー鎖とフォトリフラクティブ側鎖基とを有すること
を特徴とする、請求項１〜１１のいずれか一項に記載の顕微鏡システム。
【請求項１３】
前記フォトリフラクティブポリマー（４５）は、ポリアクリル酸−ポリマー鎖と、テトラフェニル−ジアミノビフェニル−側鎖基及び／又はカルバルデヒド−アニリン−側鎖基とを有すること
を特徴とする、請求項１２に記載の顕微鏡システム。
【請求項１４】
請求項１〜１３のいずれか一項に記載のデジタル光学顕微鏡システム（１００）のための画像再生ユニットであって、
少なくとも１つの画像表示ユニット（４０）を備え、該少なくとも１つの画像表示ユニット（４０）は、フォトリフラクティブポリマー（４５）を有し、且つ３次元の対象物画像情報に応じた前記フォトリフラクティブポリマー（４５）の光照射による３次元の対象物画像情報の動的なホログラフィック再生のために備えられており、
前記少なくとも１つの画像再生ユニット（３０）は、観察者による両眼観察のために備えられた観察開口部（３１）と、少なくとも部分的に遮光性のハウジング（３３）とを有すること
を特徴とする画像再生ユニット。
【請求項１５】
該画像再生ユニットは、スイッチオフ可能に構成されていること
を特徴とする、請求項１４に記載の画像再生ユニット。
【発明の詳細な説明】
【技術分野】
【０００１】
（関連出願の記載）
本出願は、2012年４月20日出願のドイツ特許出願第 10 2012 206 594.6 号のパリ条約による優先権主張に基づくものであり、同出願の全記載内容は、引用をもって本明細書に組み込み記載されているものとする。
【０００２】
本発明は、３次元の対象物画像情報の検知のために備えられた画像検知ユニットと、３次元の対象物画像情報の動的（ダイナミック）なホログラフィック再生のために備えられた画像再生ユニットとを有する顕微鏡システム、特に手術用顕微鏡システム、並びに対応する画像再生ユニットに関する。
【背景技術】
【０００３】
特に手術用顕微鏡の分野では、動く対象物（観察対象）を３次元的に検査するという需要がある。この目的のためには、例えば実体顕微鏡（立体顕微鏡）が以前より知られている。
【０００４】
しかし全般的には、肉眼又は対応する実体顕微鏡を用いた対象物の直接的な観察は、将来的にその重要性を徐々に少なくしていくだろう。それに代わり、所謂デジタル光学顕微鏡システムの使用が増加しており、これらのデジタル光学顕微鏡システムは、対象物自体をデジタル方式を用いて撮像するか、又はこれらのデジタル光学顕微鏡システムにおいては、光学画像検知装置にデジタル画像処理装置が付設されている。この際、撮像光学系から再生ユニットに至るまで完全に電子的な画像輸送が益々行なわれるようになっている。
【０００５】
この関連において、例えば偏光眼鏡やシャッタ眼鏡や所謂レンティキュラ形ディスプレイを用いた、その都度獲得された３次元の対象物画像情報の表示も、同様に既知である。つまり例えば下記特許文献１は、表示装置により提供された画像が表示スクリーン上に結像される顕微鏡を開示している。スクリーン上に描写された画像は、２次的な光学システムを用いて立体的に観察することができる。
【先行技術文献】
【特許文献】
【０００６】
【特許文献１】EP 1 972 294 A1
【発明の概要】
【発明が解決しようとする課題】
【０００７】
しかしこの種のシステムは、多くの場合、満足のいく空間印象を保証することはできない。従って視覚生理学的な知覚異常が発生してしまう。
【０００８】
手術用顕微鏡の古典的な観察システムは、左右の観察者眼球に対し、光学（Ｚ）軸線において、実在の拡大された空間的に存在する中間画像を提供し、従って観察者眼球は、常に焦点平面と収束平面を一致させることができる。「中間画像」ないし「中間画像平面」との用語は、この脈絡において正確に合っているとは言えない。むしろ実体顕微鏡においては、その都度の対象物（ないし対象物空間）は、対応する画像空間において正確に空間的に結像され、従ってここで観察者は、完全に生理学的な奥行き認識（奥行き走査）を行なうことができ、この奥行き認識は、肉眼による自然な巨視的観察に対応する。
【０００９】
この際、眼球の継続的な収束（convergence）運動及び眼球の遠近調節機能（奥行き認識）により、視覚生理学的な刺激が脳内で発生され、この刺激は（左右の眼球の「中間画像平面」内の異なる画像情報のかたちの）横方向不一致に並び、追加的に空間的な知覚に寄与する。
【００１０】
それに対し、今まで知られている３次元描写用のデジタル光学システムの本質的な短所は、焦点平面と収束平面とが空間的に固定されていることである。観察者眼球は、通常は２次元表示の観察を強いられる。この種の画像知覚は、自然の視覚生理学に対応せず、それにより疲労をもたらすことになる。従って上記のシステムは、少なくとも手術用顕微鏡検査の分野において、いまだ十分な受容れには至っていない。上記のシステムの幾つかでは、左又は右の観察者眼球のための左右の立体画像ペアの順次的な提供は、追加的に不利であると分かっている。
【００１１】
従って３次元の対象物画像情報を動的（ダイナミック）に再生するための顕微鏡システムにおいて、対応する改善への要求がある。
【課題を解決するための手段】
【００１２】
この背景技術に基づき、本発明は、３次元の対象物画像情報の検知のために備えられた画像検知ユニットと、３次元の対象物画像情報の動的（ダイナミック）なホログラフィック再生のために備えられた画像再生ユニットとを有し、独立請求項記載の特徴を有する顕微鏡システム、並びに対応する画像再生ユニットを提案する。
【課題を実施するための形態】
【００１３】
好ましい形態は、各々従属請求項の対象、並びに以下の説明の対象である。
【００１４】
本発明に従い、顕微鏡システム、特に手術用顕微鏡システムの画像再生ユニットに、フォトリフラクティブポリマーを有する少なくとも１つの画像表示装置を備え付けることが提案される。画像再生ユニットには、３次元の対象物画像情報に応じたフォトリフラクティブポリマーの光照射（露光）による３次元の対象物画像情報の動的なホログラフィック再生の能力が与えられている。３次元の対象物画像情報は、画像再生ユニットへ、画像検知ユニットにより、好ましくはホログラフィック検知システムにより、或いは例えばコンピュータ生成されたホログラムデータの形式でも提供される。画像表示装置は、電気光学的に奥行きのある立体画像を再生することを可能とする。
【００１５】
本発明により、以下詳細に説明するように、画像再生ユニットは、両眼観察のために備えられた観察開口部（ビューイングポート Einblick）と、少なくとも部分的に遮光性のハウジングとを有する。１つ又は複数のこの種の画像再生ユニットを設けることができる。
【００１６】
好ましくは、画像再生ユニットは、少なくとも１つの画像検知ユニットから離して配設することができ、例えば、手術場所から離れ、手術台に対して空間的な距離をおいて、例えば無菌領域外や、手術関与者を邪魔することなく十分なスペースを提供するポジションに配設することができる。
【００１７】
本出願の枠内で「３次元の対象物画像情報」が話題となる場合、この表現は、少なくとも部分的に対象物（観察対象）の３次元の特徴を提示するのに適している光学形式及び／又はデジタル形式の全画像情報として理解される。任意の追加的な情報、例えば、色や温度などのスペクトル的な特徴を、３次元の対象物画像情報内に含めることができる。
【００１８】
「動的（ダイナミック）な」画像再生との表現は、「静的（スタティック）な」画像再生とは対照的に、少なくともある特定の枠内において３次元の動画表示の形式の動く対象物の描写を含んでいる画像再生として理解される。この際「動的（ダイナミック）な」再生は、例えば所定の反復周波数を用いる適切な方式により、その都度検査される対象物（被検体）の運動に応じた画像表示装置の連続的な又は非連続的な更新（リフレッシュ）を意味として含んでいる。
【００１９】
最後に「フォトリフラクティブ（photorefraktiv）」との概念のもとでは、照明時の分子及び／又は材料の屈折率の変化をもたらす全ての現象が包摂されている。既知のようにフォトリフラクティブな現象では、例えば、光イオン化、電荷キャリアの生成と再分配（ドリフト、拡散、体積依存光起電効果）及び／又は電場の変調（ポッケルス効果）が役割を果たすことができる。
【００２０】
本発明により、少なくとも１つの画像表示ユニットにフォトリフラクティブポリマーを備え付けることで一連の利点が達成される。適切なポリマーとそれらの利点は、例えば、寄稿論文「大面積フォトリフラクティブポリマーを用いたホログラフィック３次元テレプレゼンス（Holographic Three-Dimensional Telepresence using Large-Area Photorefractive Polymer）」、Ｐ.-Ａ.ブランチェ（P.-A. Blanche）らによる、ネーチャー（Nature）４６８号、80〜83ページにおいて、詳細に説明されている。
【００２１】
ホログラフィでは、既知のように従来の結像方法とは異なり、強度情報（即ち光振幅）の他に、位相情報も含まれて輸送される。これらの位相情報は、干渉現象を基礎にし、干渉縞の形式で獲得される。そのためにコヒーレントな光、通常はレーザ光線が使用され、該レーザ光線は、十分な対象物照明を達成するために発散レンズを用いて拡開される。
【００２２】
ホログラフィは、基本的に既知である。ホログラフィは、対象物が照射されるコヒーレントな光（所謂参照波）と、対象物により反射される光（所謂対象物波）との間の干渉効果に基づく。発生する干渉縞が、記録装置、例えば（ＣＣＤ）センサ上に結像される。例えば透過光ホログラフィにおける、対応する３次元画像の再生のための技術も、既知であり、従ってここで更に説明は加えないものとする。
【００２３】
ホログラフィでは、その都度検知された対象物の前後の全波動場も再生されるので、結像は、様々な方向からも観察することができる。
【００２４】
フォトリフラクティブポリマーの本発明による使用により、ホログラフィの全ての利点を利用することができる。従来技術による、主観的に不自然なものとして知覚され且つ客観的にも非生理学的な方法とは異なり、自然な印象を与える立体的な視覚印象が生成される。この視覚印象は、観察者が波動場（Wellenfeld）において行きつ戻りつ動き、それによりその都度の対象物を様々な方向から観察できることにより強化される。
【００２５】
他の３次元描写方法とは異なり、ホログラフィは、自動立体視的な結像方法であり、つまり観察のために、既知のように疲労現象及び／又は方向感覚喪失現象をもたらしうる３Ｄ眼鏡やヘッドディスプレイのような追加的な観察装置を必要とすることはない。従来の静的なホログラムは、数テラバイトの情報量のデータを再生することができ、極めて異なるサイズ（大きさ）で、色再生を伴い又は伴わず、全視差的及び部分視差的な結像システムの形式で、様々な奥行き再生を伴うものとして既知である。
【００２６】
しかしフォトリフラクティブポリマーの使用は、従来のホログラフィック技術の短所も克服してくれる。当然のごとく、既知の静的なホログラフィック記録システムは、運動する対象物の顕微鏡検査に適しているとは言い難い。また既知の動的なホログラフィック表示（例えば音響光学的な液晶マイクロ電子機械システム）は、画像持続性をもたないか又はもったとしても僅かであり、従って連続的に更新（リフレッシュ）されなくてはならない。この際、明滅現象（flickering）を少なくとも部分的に回避するために、少なくとも３０Ｈｚの周波数が必要である。従って３次元の対象物画像情報のデータ量が多いことに基づき、これらの従来の動的なホログラフィック表示の最大サイズは、極めて制限されている。
【００２７】
それとは異なりフォトリフラクティブポリマーを用いることで、可逆性をもって（部分）持続的な画像を記録することができる。従ってフォトリフラクティブポリマーは、上述のシステムよりもゆっくりした（低い）画像更新周波数を可能とする。無機フォトリフラクティブ結晶を用いるとするとこの解決策は、これらの無機フォトリフラクティブ結晶が所望のサイズで生成可能である場合に限り達成することができる。光熱可塑性システムも、ホログラムの動的な描写に関し、今日まで満足のいくかたちで使用することはできていない。
【００２８】
フォトリフラクティブポリマーは、大面積で迅速に（動的に）応答するホログラフィック記録再生媒体の製造を可能とする。それにより例えば、ほぼ１０ｘ１０ｃｍのホログラムを１ｍｍの解像度でほぼ２秒以内で検知することができる。記録と再生のためにショートパルスレーザが使用される場合には、ホログラフィック記録再生システムは、振動にほぼ無感応であり、追加的な振動管理や騒音管理や温度管理を伴うことなく診療現場（クリニック）での使用に適している。
【００２９】
フォトリフラクティブポリマー上の画像データの記録は、光により生成された電荷の選択的な輸送と捕獲を基礎とした空間電荷場の形成に基づく。電場により誘起された屈折率の変化は、フォトリフラクティブ効果に基づいて行なわれる。これらの効果は、光化学プロセスとは異なり、完全に可逆性をもっており（reversibel）、この際、記録された対象物画像情報の「消去」が一様な照明及び／又は簡単な上書きによっても行なうことができる。
【００３０】
画像検知ユニットは、適切な立体視光学系を用いるか又は対応する（ホログラフィック）検知により、３次元の対象物画像情報を提供することができ、これらの３次元の対象物画像情報は、更なる一連の伝送経路において、例えば電子的な形式で、強度情報も位相情報も輸送する。この際、最終的に描写されるホログラムは、コンピュータ発生されたホログラムでもよく、該ホログラムは、他の方式で、例えば光学的に及び／又は積層画像の形式で得られた３次元の対象物画像情報から、再生されるホログラム情報を提供する。
【００３１】
画像表示ユニットは、以下で詳細に説明するように、多色ポリマー表示装置とすることもでき、例えば手術用顕微鏡において、検査される対象物の近傍か、又は手術用顕微鏡から離して、適切な箇所に装着することができる。
【００３２】
この際、画像データの遠隔伝送及び遠隔再生を、例えば多元（会議）接続（Konferenzschaltung）の形式で可能とすることは特に有利でありうる。この際、例えば画像情報の伝送は、イーサネット又は他の方法を用いて行なうことができ、例えば遠隔医療のために利用することができる。
【００３３】
各画像再生ユニットに、対応する夫々２つのポリマー画像表示ユニットを備え付けることは特に有利であるとされ、それにより各１つの観察者眼球のために別個（separate）の観察開口部（ビューイングポート Einblick）を有する立体視画像提供ユニットが創作される。この際、各々のポリマーシステムの立体画像は、視覚光学接眼レンズシステムの各々の「中間画像平面」の箇所に生じる。それにより従来の光学実体顕微鏡システムの観察開口部をシミュレートすることができ、このことは、利用者における適合困難性を軽減し、そして疲労を伴わない、視覚生理学に対応する自然な観察を可能とする。このことは、２Ｄシステムの短所と視覚生理学的な不十分さを回避させる。
【００３４】
好ましくは、フォトリフラクティブポリマーの光照射（露光）は、フォトリフラクティブポリマーへ様々な入射角度から対象物光線と参照光線を入射することを含んでいる。そのためにフォトリフラクティブポリマー上の離散的な箇所ないし焦点（複数）への参照光線と対象物光線の各々の集束（焦点合わせ focusing）を可能とするレンズアレーを使用することが目的に適っている。従って複数の焦点（focal points）において、参照光線と対象物光線が重なり合い、従って対応する干渉縞を記録することができる。
【００３５】
この際、照明は、好ましくは、パルス化されたレーザホログラフィック記録システムと、各ホログラフィックピクセル（ホーゲル）が個々のナノ秒レーザパルスを用いて書き込み可能であるフォトリフラクティブポリマーとが使用されて行なわれる。この際、例えば、５０Ｈｚの周波数でパルスごとに２００ｍＪの出力を有する６つのナノ秒レーザパルスを提供する、パルス化されたレーザシステムが使用される。
【００３６】
カラーのホログラム描写を可能とするシステムが特に有利であると考えられる。この際、カラーのホログラム描写は、例えば診断上重要な特徴を強調するために、真正（true）カラー描写及び／又は擬似（false）カラー描写を含むことができる。
【００３７】
既知のように、発生する色に依存し、ホログラフィック情報の再生時には、白色光ホログラム、白色光のもとでは再生することのできないホログラム、並びに真正カラーホログラムを区別することができる。
【００３８】
真正カラーホログラムは、白色光レーザを使用するか又はカラーレーザを用いた順次的（シーケンシャル）な光照射により生成することができる。この際、記録再生媒体は、全ての色に対して敏感（感応性）でなくてはならない。様々な波長と色の光が様々な強さで屈折されるので、再生のために使用されるレーザは、同じ場所において複数の個別画像が生成するように、媒体に対して各々の波長に依存する角度で配設される必要がある。
【００３９】
この際、カラー描写のために角度多重化法（Winkelmultiplexverfahren）が使用されると特に有利である。この際、３つまでの異なるホログラムが、異なる角度のもと、フォトリフラクティブポリマー内へ書き込まれ、例えば対応して色付けられたＬＥＤ（フルカラー描写のための、赤、緑、青）を用いて読み出される。この際、好ましくは、読み出し中の各色間の相互影響を回避するために、特に参照光線角度差が顧慮される。３つのホログラムが同時に記録されるので、カラーホログラムのための記録時間は、単色ホログラム（モノクロホログラム）の記録時間を超過することはない。
【００４０】
本システムは、部分視差システム又は全視差システムとして構成することができる。既知のように人間の目における遠近印象は、主として両眼の水平方向の分離（separation）により達成される。従って水平方向（だけ）の視差システムは、大半の３Ｄアプリケーションにとって十分であり、速度に関して有利性を提供してくれる。それに対し、特別な使用分野、例えば観察が全てのポジションから行なわれるべき観察システムにおいては、完全視差システムが必要である。完全視差システムのためには、純粋な水平視差システムに対して二乗（quadriert）されている所定数のホーゲルが必要である。
【００４１】
有利な（手術用）顕微鏡システムは、少なくとも２つの画像検知ユニット及び／又は再生ユニットを有し、これらの画像検知ユニット及び／又は再生ユニットは、各々、ホログラムを検知及び／又は再生するために、互いに異なる検知角度及び／又は再生角度をもって配備されている。この際、検知角度及び／又は再生角度は、検査される対象物への視角（Blickwinkel）に対応する。
【００４２】
多くの手術は、一人の主執刀医と少なくとも一人の助手により同時に実行される。この際、主執刀医と助手は、１つの手術台の周りに立っている。主執刀医のポジション（従って主執刀医の視角）が０°ポジションと称される。主執刀医に対向して立つ助手のポジションが１８０°ポジションと称される。主執刀医とこの助手に対して直角の位置で立つ別の助手のポジションが９０°ポジションと称される。
【００４３】
このような位置取りは、対応する画像検知ユニット及び／画像再生ユニットの位置決めにより実現することもできる。例えば、手術台の周りに配設されている手術用顕微鏡システムでは、複数の画像再生ユニットを互いに向かい合わせに又は９０°の角度をおいて配設することができる。その際、主執刀医と助手は、彼らの慣れた配置に応じてポジションをとることができる。しかし補助的に更なる画像再生ユニットを設けることができる。これらの画像再生ユニットは、更なる助手や学生などに対し、まるで彼らが現場で執刀医又は助手のポジションにいるかのように手術の追従を可能にしてくれる。また更なる画像再生ユニットは、手術台から空間的に離して、例えば無菌領域外や、手術関与者を邪魔することなく十分なスペースを提供するポジションに配設することもできる。
【００４４】
フォトリフラクティブポリマーとして、ポリマー鎖とフォトリフラクティブ側鎖基（photorefraktive Seitengruppen）とを有するコポリマーを使用すると特に有利である。画像表示ユニットにおける使用のためには、基本的に全ての既知のフォトリフラクティブ材料が適している。フォトリフラクティブ結晶とは異なり、ポリマーは、既述のように、手間のかかる結晶の成長（析出）が必要ではないので、特に簡単な製造により傑出している。
【００４５】
画像表示ユニットにおける使用のためには、ポリアクリル酸−ポリマー鎖（Polyacrylsaeure-Polymerkette）と、テトラフェニル−ジアミノビフェニル−（Tetraphenyl-Diaminobiphenyl-; ＴＰＤ−）側鎖基及びカルバルデヒド−アニリン−（Carbaldehyd-Anilin-; ＣＡＡＮ−）側鎖基とを有するコポリマーが特に有利であるとされる。ＴＰＤ側鎖基の含有量は、好ましくはＣＡＡＮ側鎖基の含有量を超過する。
【００４６】
好ましくは、フォトリフラクティブポリマー内には、柔軟剤（Weichmacher）も使用され、該柔軟剤は、フォトリフラクティブ空間電荷場内の発色団（Chromophore）の配置を容易にする。屈折率変調特性は、弗素化発色団（fluorierete Chromophore）の添加により改善することができる。使用されるナノ秒パルスのための感度を改善するために、例えばフラーレン誘導体（Fullerenderivate）を使用することもできる。
【００４７】
有利に使用可能なポリマー、その特性、及びその製造に関する更なる情報は、例えば上述のブランチェらによる論文から読み取ることができる。
【００４８】
提案されたシステムの使用は、古典的な手術用顕微鏡との組み合わせだけに制限されているのではなく、同様に、２つの対物レンズを有する特殊カメラを顕微鏡システムに備え付けるためにも適していることを指摘しておく。また実体対物レンズ（ステレオ対物レンズ）は、対応する焦点特性、ズーム特性、及び収束角度特性を有するので、対応するシステムを用いた使用に特に適している。この際、２つの対物レンズは、収束角度を規定し、手術領域に対する手術用顕微鏡よりも離れたポジションにおいて、例えば手術室の天井に取り付けることもできる。
【００４９】
３Ｄ表示特性がデジタル光学顕微鏡システムにおいて（スイッチ）オンオフ可能であると特に有利であり、それによりその際には、顕微鏡を必要に応じて古典的な視覚光学双眼システムとしても使用することができる。
【００５０】
本発明により同様に提案されている画像再生ユニットに関しては、上述の特徴及びそれらの各々の利点が明示的に参照される。
【００５１】
本発明の更なる利点及び構成は、以下の説明及び添付の図面から明らかとなる。
【００５２】
上述の特徴及び以下で説明すべき特徴は、各々記載された組み合わせだけでなく、本発明の枠を逸脱することなく、他の組み合わせ又は単独でも使用可能であることは、勿論である。
【００５３】
本発明が実施例を介して模式的に図示されており、以下、本発明を図面を参照して詳細に説明する。
【図面の簡単な説明】
【００５４】
【図１】本発明の特に有利な一実施形態による顕微鏡システムを模式的に示す図である。
【図２】本発明の特に有利な一実施形態による画像再生ユニットを模式的に示す図である。
【図３】本発明の特に有利な一実施形態によるフォトリフラクティブポリマーの光照射状態を模式的に示す図である。
【実施例】
【００５５】
図１には、本発明の特に有利な一実施形態による顕微鏡システムが図示され、符号１００で記されている。顕微鏡システム１００は、例えば天井に取り付けられた手術用顕微鏡システムとして構成されており、詳細には説明しない支持アーム１０に固定されている。第１旋回アーム１１には、双眼実体顕微鏡２０が装着されており、該双眼実体顕微鏡２０は、例えば、画像検知ユニット２１及び接眼レンズ２２を配設することができる。視覚的（visual）な立体視チャネルは、符号２２’及び２２”で記されている。画像検知ユニット２１は、（従来の）光学画像及び／又はデジタル画像の形式、及び／又はホログラムデータの形式の３次元の対象物画像データを検知するために備えられている。この目的のために画像検知ユニット２１は、例えば、主対物レンズ、ズームレンズシステム、画像撮影システム、ドキュメンテーション装置、及び／又はホログラフィックスキャン装置をもっている。補助的な画像検知装置を設けることもできる。一対の接眼レンズ２２を介し、観察者は、顕微鏡２０の対物レンズ側に配置された対象物（観察対象）を視覚的に観察することができる。
【００５６】
第２旋回アーム１２には、観察開口部（ビューイングポート Einblick）３１を備えた画像再生ユニット３０が装着されている。画像再生ユニット３０は、図１では実体顕微鏡２０とは別個に図示されているが、画像再生ユニット３０を実体顕微鏡２０の組込構成部分として構成することもできる。また、例えば所謂ディスカッション装置の形式の複数の画像再生ユニット３０を配設することも可能であり、従って複数の観察者による検査対象物の同時観察が可能とされる。既述のように、任意の数の画像再生ユニット３０を、近距離（locally）で又は遠距離で及び／又は所定の角度の構成のもと、配設することができる。
【００５７】
図２は、全体として符号３０で記された、本発明の特に有利な一実施形態による画像再生ユニットを示している。画像再生ユニット３０は、両眼観察のために備えられた観察開口部３１を有し、該観察開口部３１は、例えば、観察されるホログラフィック画像のジオプトリ補償（Dioptrienausgleich）のため及び／又は拡大のために、対応する光学系３２を設けることができる。画像再生ユニット３０は、散光や室光を含まないできるだけ妨害のない視覚印象を可能とするために、好ましくは（部分）遮光性のハウジング３３をもっている。
【００５８】
隔壁３４は、妨害のない視線軸線３５に沿った両眼観察を保証するために設けられている。画像再生ユニット３０は、例えば旋回アーム１２への装着のために固定装置３６を有する。３次元の対象物画像情報のホログラフィック再生のためにホログラフィックポリマー画像表示装置４０が設けられており、該ホログラフィックポリマー画像表示装置４０は、観察開口部３１の反対側から、例えば図３で具体的に示されているように、３次元の対象物画像情報に対応して光照射することができる。
【００５９】
図３は、対象物光線４１と参照光線４２による、全体として符号４０で記されたホログラフィックポリマー画像表示装置の光照射（露光）状態を具体的に示している。第１レンズアレー４３と第２レンズアレー４４を使用することにより、対象物光線と参照光線の各々の部分が、フォトリフラクティブポリマー４５上の複数の共通の離散的な焦点位置Ｆへフォーカス（集束）され、それによりそこでは各々上述のレーザ干渉効果が起こり、従って３次元の視覚化が起こることになる。
【符号の説明】
【００６０】
１０    支持アーム
１１    第１旋回アーム
１２    第２旋回アーム
２０    実体顕微鏡（立体顕微鏡）
２１    画像検知ユニット
２２    接眼レンズ
３０    画像再生ユニット
３１    観察開口部（ビューイングポート）
３２    光学系
３３    ハウジング
３４    隔壁
３５    視線軸線
３６    固定装置
４０    画像表示装置
４１    対象物光線
４２    参照光線
４３    第１レンズアレー
４４    第２レンズアレー
４５    フォトリフラクティブポリマー
Ｆ    焦点
１００    顕微鏡システム
【図１】
2013231967.tif 000003
【図２】
2013231967.tif 000004
【図３】
2013231967.tif 000005
【外国語明細書】
2013231967000001.pdf